(57)【要約】      （修正有）【課題】利便性を向上した携帯端末、携帯端末の制御方法、及びプログラムを提供する。【解決手段】スケジュール機能を有する携帯端末において、マナーモードの開始時間と解除時間とを別々に設定する制御手段を備えた。このように設定時間の複数設定を可能とすることで、従来のスケジュール的な使用も可能となり、また手動でのマナーモード設定と組み合わせることも可能となるので、利便性を向上した携帯端末、携帯端末の制御方法、及びプログラムの提供を実現することができる。【選択図】図１
2009284031.tif 000002
【特許請求の範囲】
【請求項１】
スケジュール機能を有する携帯端末において、マナーモードの開始時間と解除時間とを別々に設定する制御手段を備えたことを特徴とする携帯端末。
【請求項２】
前記制御手段は、曜日の情報を取得するためのスケジュール管理部と、時間の情報を取得するための時計機能部とを備え、起動設定された時間に起動し、解除設定された時間に解除することを特徴とする請求項１記載の携帯端末。
【請求項３】
前記制御手段は、現在マナーモードが設定されているか否かの判定を行い、前記マナーモードが設定されていると判定した場合には現状のマナーモード状態を維持し、現在マナーモードが設定されていないと判定した場合にはマナーモードを起動することを特徴とする請求項２記載の携帯端末。
【請求項４】
前記制御手段は、現在マナーモード解除時間であるか否かの判定を行い、現在マナーモード解除中であると判定した場合、現状のマナーモード解除状態を維持し、現在マナーモード起動中であると判定した場合、マナーモードを解除することを特徴とする請求項２記載の携帯端末。
【請求項５】
スケジュール機能を有する携帯端末の制御方法において、マナーモードの開始時間と解除時間とを別々に設定することを特徴とする携帯端末の制御方法。
【請求項６】
曜日の情報を取得し、時間の情報を取得し、起動設定された時間に起動し、解除設定された時間に解除することを特徴とする請求項５記載の携帯端末の制御方法。
【請求項７】
現在マナーモードが設定されているか否かの判定を行い、前記マナーモードが設定されていると判定した場合には現状のマナーモード状態を維持し、現在マナーモードが設定されていないと判定した場合にはマナーモードを起動することを特徴とする請求項６記載の携帯端末の制御方法。
【請求項８】
現在マナーモード解除時間であるか否かの判定を行い、現在マナーモード解除中であると判定した場合、現状のマナーモード解除状態を維持し、現在マナーモード起動中であると判定した場合、マナーモードを解除することを特徴とする請求項６記載の携帯端末の制御方法。
【請求項９】
スケジュール機能を有する携帯端末のコンピュータに、マナーモードの開始時間と解除時間とを別々に設定する処理を実行させることを特徴とするプログラム。
【請求項１０】
前記コンピュータは、曜日の情報を取得するためのスケジュール管理部と、時間の情報を取得するための時計機能部とを備え、起動設定された時間に起動する処理と、解除設定された時間に解除する処理とを実行させることを特徴とする請求項９記載のプログラム。
【請求項１１】
前記コンピュータは、現在マナーモードが設定されているか否かの判定処理を行い、前記マナーモードが設定されていると判定した場合には現状のマナーモード状態を維持する処理、現在マナーモードが設定されていないと判定した場合にはマナーモードを起動する処理を実行させることを特徴とする請求項１０記載のプログラム。
【請求項１２】
前記コンピュータは、現在マナーモード解除時間であるか否かの判定処理を行い、現在マナーモード解除中であると判定した場合、現状のマナーモード解除状態を維持する処理、現在マナーモード起動中であると判定した場合、マナーモードを解除する処理を実行させることを特徴とする請求項１０記載のプログラム。
【発明の詳細な説明】
【技術分野】
【０００１】
本発明は、携帯端末、携帯端末の制御方法、及びプログラムに関する。
【背景技術】
【０００２】
スケジュール機能を利用して、開始時間から解除時間までを設定し、その設定した時間内をマナーモード設定状態とする携帯端末が開発されている。
このようなスケジュール機能を有する携帯端末の一例が特許文献１〜５に記載されている。
特許文献１の「携帯型移動通信端末のマナーモード設定システム」は、「スケジュール機能を有する携帯型移動通信端末のマナーモード設定システムにおいて、スケジュール機能によりマナーモードの設定を行なう年月日、時間帯を記憶するマナーモードスケジュール記憶部と、マナーモードスケジュール記憶部に設定された年月日、時間帯に携帯型移動通信端末の機能の一部を停止してマナーモードの設定を行なうマナー制御部と」で構成されており、以下のように動作する。
【０００３】
この携帯型移動通信端末のマナーモード設定システムによれば、スケジュール機能によりマナーモードの設定を行なう年月日、時間帯を記憶し、設定された年月日、時間帯に携帯型移動通信端末の機能の一部を停止してマナーモードの設定を行なうので、医療機関屋内での無線部以外の機能だけが使用可能となり、さらに、映画館での鑑賞中、音楽会での音楽鑑賞中、会議中、冠婚葬祭出席中、電車乗車中等に確実にマナーモードの設定が可能となるとしている。
【０００４】
特許文献２の「携帯移動電話装置」は、「携帯されて移動し、通話可能モード、マナーモード、電源オフモード等の各種受信モードを有して、通話可能モードで通話が可能な携帯移動電話装置において、日時情報を管理するカレンダー機能と、受信モードを管理する受信モード管理機能と、各種操作を行なう操作手段と、を備え、操作手段で受信モード管理機能が有効にセットされると、当該受信モード管理機能が、カレンダー機能に基づいて、受信モードを当該受信モード管理機能が有効にセットされた時点から当該操作手段で指定された時間長の間だけ当該操作手段で指定された受信モードに移行させる」ように構成されており、以下のように動作する。
【０００５】
この携帯移動電話装置によれば、指定された時間長の間だけ指定された受信モードに簡単に移行して、その後、通常モードに復帰させることができ、例えば、携帯移動電話装置の使用を控えるべき状況での携帯移動電話装置の使用を、妨害電波発信機器など外部の設備を設置することなく、携帯移動電話装置のユーザの操作で簡単にモード切換を行なうことができるようにして、安価にかつ適切に周囲の人にかける迷惑を防止することができるとともに、携帯移動電話装置の利用性を向上させることができるとしている。
【０００６】
特許文献３の「携帯電話端末装置」は、「着信音を抑制または禁止するマナーモードを有し、基地局と無線通信可能な携帯電話端末装置であって、マナーモード設定条件として第１の種類の情報に基づく第１の設定条件を記録可能な第１の設定条件設定部と、マナーモード設定条件として第１の種類の情報とは異なる第２の種類の情報に基づく第２の設定条件を記録可能な第２の設定条件設定部とを有するマナーモード設定条件設定部と、マナーモード解除条件として第１の種類の情報に基づく第１の解除条件を記録可能な第１の解除条件設定部と、マナーモード解除条件として第２の種類の情報に基づく第２の解除条件を記録可能な第２の解除条件設定部とを有するマナーモード解除条件設定部と、現在時刻を取得する時刻取得部と、現在位置を示す位置情報を取得する位置情報取得部と、マナーモード設定条件設定部に記録されたマナーモード設定条件とマナーモード解除条件設定部に記録されたマナーモード解除条件と時刻取得部が取得する現在時刻と位置情報取得部が取得する位置情報とに基づきマナーモードの設定および解除を制御する制御部と」で構成されており、以下のように動作する。
【０００７】
この携帯電話端末装置によれば、マナーモード設定条件設定部とマナーモード解除条件設定部とを含むので、第１の種類の情報に基づく第１のマナーモード設定条件と、第２の種類の情報に基づく第２のマナーモード設定条件と、第１の種類の情報に基づく第１のマナーモード解除条件と、第２の種類の情報に基づく第２のマナーモード解除条件との中から、所望の条件を１つまたは複数記録することが可能になるとしている。
【０００８】
特許文献４の「携帯型移動通信端末装置」は、「マナーモードを設定可能な携帯型移動通信端末装置であって、ユーザからマナーモード開始時刻およびマナーモード終了時刻を受け付ける入力部と、入力部が受け付けたマナーモード開始時刻およびマナーモード終了時刻を格納する格納部と、時刻を示す時刻情報を出力する時計部と、時刻情報が示す時刻がマナーモード開始時刻になると、マナーモードを設定し、時刻情報が示す時刻がマナーモード終了時刻になると、マナーモードを解除する設定部と」で構成されており、以下のように動作する。
【０００９】
この携帯型移動通信端末装によれば、時刻情報が示す時刻がマナーモード開始時刻になると、マナーモードが設定され、時刻情報が示す時刻がマナーモード終了時刻になると、マナーモードが解除される。マナーモード開始時刻およびマナーモード終了時刻は、ユーザから受け付けられる。このため、ユーザが意図した時刻に、マナーモードを自動的に設定および解除することが可能になるとしている。
【００１０】
特許文献５の「携帯通信端末」は、「最寄りの基地局及び網を介して接続される相手端末からの着信を、着信音以外の方法で報知するマナーモードと、運転中の着信を相手端末に通知すると共に不在着信を自装置の画面に表示するドライブモードと、カレンダー機能とを少なくとも有する携帯通信端末において、マナーモード及びドライブモード及び着信音鳴動モードのいずれか一のモードに切り替える設定と、その切り替えを実行する時間帯、曜日、祝日の有無を設定する設定手段と、設定手段により設定された時間帯及び曜日になったか否かと、祝日を設定した時には設定した祝日になったか否かをカレンダー機能と連携して判定する判定手段と、判定手段により設定された時間帯、曜日又は祝日になったと判定された時には、設定手段により設定されたモードに切り替える切り替え手段と」で構成されており、以下のように動作する。
【００１１】
この携帯通信端末によれば、マナーモード及びドライブモード及び着信音鳴動モードのいずれか一のモードに切り替えると共に、その切り替えを実行する時間帯、曜日、祝日の有無を設定し、その設定時間帯、設定曜日又は祝日が設定された時はその祝日になったと判定された時には、設定されたモードに切り替えるようにしたため、事細かにスケジュールを予め登録しなくても、曜日、時間帯等の単位で鳴動方法を変更でき、変更のための操作の煩わしさを解決できるとしている。
【特許文献１】特開２００１−２２４０７５号公報
【特許文献２】特開２００４−１６５８９９号公報
【特許文献３】特開２００４−３３６１９４号公報
【特許文献４】特開２００６−１３５６３４号公報
【特許文献５】特開２００６−２１７２８４号公報
【発明の開示】
【発明が解決しようとする課題】
【００１２】
ところで、上述したスケジュール機能を利用した携帯端末では、マナーモードを開始から解除までの時間を予め区間として設定または、過去のマナーモード設定履歴から引用することが前提となっている。
つまり、突然の予定変更が発生した場合、スケジュール自体を変更する必要があった。
具体的には、13時から14時まで会議の予定があり、マナーモード設定有効とスケジュール設定した場合、実際の会議が延長してしまっても、14時以降は、マナーモードが解除されてしまう。
また、今から３時間だけマナーモードに設定したい場合などは、その場でスケジュール設定するか、手動でマナーモード設定を行なうことになる。手動でマナーモードに設定した場合、再度、手動で解除するか、次に起動するスケジュールでマナーモードが解除されるまでマナーモードが継続してしまうという問題があった。
そこで、本発明の目的は、利便性を向上した携帯端末、携帯端末の制御方法、及びプログラムを提供することにある。
【課題を解決するための手段】
【００１３】
本発明の携帯端末は、スケジュール機能を有する携帯端末において、マナーモードの開始時間と解除時間とを別々に設定する制御手段を備えたことを特徴とする。
【００１４】
本発明の携帯端末の制御方法は、スケジュール機能を有する携帯端末の制御方法において、マナーモードの開始時間と解除時間とを別々に設定することを特徴とする。
【００１５】
本発明のプログラムは、スケジュール機能を有する携帯端末のコンピュータに、マナーモードの開始時間と解除時間とを別々に設定する処理を実行させることを特徴とする。
【発明の効果】
【００１６】
本発明によれば、マナーモードの開始時間と解除時間とを別々に設定することにより、ユーザの利用シーンを広げることができ、設定時間の複数設定を可能とすることで、従来のスケジュール的な仕様も可能となり、手動でのマナーモード設定と組み合わせることも可能となるので、利便性を向上した携帯端末、携帯端末の制御方法、及びプログラムの提供を実現することができる。
【発明を実施するための最良の形態】
【００１７】
本発明に係る携帯端末、携帯端末の制御方法、及びプログラムは、開始時間から解除時間までの区間設定ではなく、開始時間と解除時間を別々に設定できることを特徴とする。
＜携帯端末＞
本発明に係る携帯端末の一実施の形態は、スケジュール機能を有する携帯端末において、マナーモードの開始時間と解除時間とを別々に設定する制御手段を備えたことを特徴とする。
【００１８】
上記構成によれば、マナーモードの開始時間と解除時間とを別々に設定することにより、ユーザの利用シーンを広げることができ、設定時間の複数設定を可能とすることで、従来のスケジュール的な仕様も可能となり、手動でのマナーモード設定と組み合わせることも可能となるので、利便性を向上することができる。
【００１９】
本発明に係る携帯端末の他の実施の形態は、上記構成に加え、制御手段は、曜日の情報を取得するためのスケジュール管理部と、時間の情報を取得するための時計機能部とを備え、起動設定された時間に起動し、解除設定された時間に解除することを特徴とする。
【００２０】
本発明に係る携帯端末の他の実施の形態は、上記構成に加え、制御手段は、現在マナーモードが設定されているか否かの判定を行い、マナーモードが設定されていると判定した場合には現状のマナーモード状態を維持し、現在マナーモードが設定されていないと判定した場合にはマナーモードを起動することを特徴とする。
【００２１】
本発明に係る携帯端末の他の実施の形態は、上記構成に加え、制御手段は、現在マナーモード解除時間であるか否かの判定を行い、現在マナーモード解除中であると判定した場合、現状のマナーモード解除状態を維持し、現在マナーモード起動中であると判定した場合、マナーモードを解除することを特徴とする。
【００２２】
＜携帯端末の制御方法＞
本発明に係る携帯端末の制御方法の一実施の形態は、スケジュール機能を有する携帯端末の制御方法において、マナーモードの開始時間と解除時間とを別々に設定することを特徴とする。
【００２３】
上記構成によれば、マナーモードの開始時間と解除時間とを別々に設定することにより、ユーザの利用シーンを広げることができ、設定時間の複数設定を可能とすることで、従来のスケジュール的な仕様も可能となり、手動でのマナーモード設定と組み合わせることも可能となるので、利便性を向上することができる。
【００２４】
本発明に係る携帯端末の制御方法の他の実施の形態は、上記構成に加え、曜日の情報を取得し、時間の情報を取得し、起動設定された時間に起動し、解除設定された時間に解除することを特徴とする。
【００２５】
本発明に係る携帯端末の制御方法の他の実施の形態は、上記構成に加え、現在マナーモードが設定されているか否かの判定を行い、マナーモードが設定されていると判定した場合には現状のマナーモード状態を維持し、現在マナーモードが設定されていないと判定した場合にはマナーモードを起動することを特徴とする。
【００２６】
本発明に係る携帯端末の制御方法の他の実施の形態は、上記構成に加え、現在マナーモード解除時間であるか否かの判定を行い、現在マナーモード解除中であると判定した場合、現状のマナーモード解除状態を維持し、現在マナーモード起動中であると判定した場合、マナーモードを解除することを特徴とする。
【００２７】
＜プログラム及び記憶媒体＞
以上で説明した本発明の携帯端末は、コンピュータで処理を実行させるプログラムによって実現されている。コンピュータとしては、例えばパーソナルコンピュータやワークステーションなどの汎用的なものが挙げられるが、本発明はこれに限定されるものではない。
【００２８】
本発明に係るプログラムの一実施の形態は、スケジュール機能を有する携帯端末のコンピュータに、マナーモードの開始時間と解除時間とを別々に設定する処理を実行させることを特徴とする。
【００２９】
上記構成によれば、マナーモードの開始時間と解除時間とを別々に設定することにより、ユーザの利用シーンを広げることができ、設定時間の複数設定を可能とすることで、従来のスケジュール的な仕様も可能となり、手動でのマナーモード設定と組み合わせることも可能となるので、利便性を向上することができる。
【００３０】
本発明に係るプログラムの他の実施の形態は、上記構成に加え、コンピュータは、曜日の情報を取得するためのスケジュール管理部と、時間の情報を取得するための時計機能部とを備え、起動設定された時間に起動する処理と、解除設定された時間に解除する処理とを実行させることを特徴とする。
【００３１】
本発明に係るプログラムの他の実施の形態は、上記構成に加え、コンピュータは、現在マナーモードが設定されているか否かの判定処理を行い、マナーモードが設定されていると判定した場合には現状のマナーモード状態を維持する処理、現在マナーモードが設定されていないと判定した場合にはマナーモードを起動する処理を実行させることを特徴とする。
【００３２】
本発明に係るプログラムの他の実施の形態は、上記構成に加え、コンピュータは、現在マナーモード解除時間であるか否かの判定処理を行い、現在マナーモード解除中であると判定した場合、現状のマナーモード解除状態を維持する処理、現在マナーモード起動中であると判定した場合、マナーモードを解除する処理を実行させることを特徴とする。
【００３３】
これにより、プログラムが実行可能なコンピュータ環境さえあれば、どこにおいても本発明の携帯端末を実現することができる。
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Drive）、フラッシュメモリ、ＲＡＭ（Random Access Memory）、ＲＯＭ（Read Only Memory）、ＦｅＲＡＭ（強誘電体メモリ）等の半導体メモリが挙げられる。
【００３４】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３５】
＜構成＞
図１に本発明に係る携帯端末の一実施例の概要構成図を示す。
同図に示すように、携帯端末としての携帯型移動通信端末にはアンテナ（ＡＮＴ）部１が設けられ、アンテナ部１は無線信号の送受信を行なう。アンテナ部１としては、ホイップアンテナ、ループアンテナ、チップアンテナ、スリットアンテナのいずれであってもよい。
【００３６】
アンテナ部１には無線部２、及びベースバンド処理部３が接続され、無線部２、ベースバンド処理部３は入力及び出力無線信号の変復調を行なう。ベースバンド処理部３には制御部４が接続され、制御部４は主に機能動作を制御する回路である。制御部４には例えばマイクロプロセッサが用いられる。
また、ベースバンド処理部３にはレシーバ１２が接続され、レシーバ１２は携帯型移動通信端末の受話部として機能する。さらに、ベースバンド処理部３にはマイクロフォン（例えば、コンデンサマイクロフォン）１３が接続され、マイクロフォン１３は携帯型移動通信端末の送話部として機能する。
【００３７】
制御部４には表示部１６が接続され、表示部１６は電話番号、時計、サービス圏内／圏外表示、電話帳表示、スケジュール表示、カレンダー表示、現在のモード等の表示を行なう。表示部１６には例えば液晶表示装置が用いられる。
【００３８】
制御部４は、複数のキーボタンを有する操作部６が接続され入力を認識し、制御部４に伝達する回路である。
【００３９】
制御部４には音量制御部９が接続され、音量制御部９は制御部４の制御により、サウンダ１０の音量出力レベルを調整する回路である。
【００４０】
サウンダ１０は着信音やメロディー等を発するスピーカ（例えば、薄型ダイナミックスピーカ）である。
【００４１】
制御部４には、バイブレーション部１１が接続されマナーモード時など着信音をサウンダから鳴動させない場合などに駆動する回路である。
【００４２】
バイブレーション部１１は、振動により着信を報知する振動モータが用いられている。携帯型移動通信端末には操作部６にマナー設定専用のキーが設けられていることが多く、マナーモード設定する場合にユーザが手動でマナーモードにすることができる。
【００４３】
ここで、マナーモードについて説明する。
一般的なマナーモードとは、サウンダ１０からの音量出力無しの状態に携帯型移動通信端末を設定する機能である。サウンダ１０から音量出力を行なわないため、着信等の通知は、バイブレーションに切り替えを行なう場合が多い。
制御部４には電話帳部５が接続され、電話帳部５は名前と電話番号とを記憶するメモリである。制御部４にはスケジュール管理部８が設けられ、スケジュール管理部８はユーザにより操作部６から入力されるスケジュールを記憶するメモリである。
制御部４にはカレンダー管理部７が接続され、カレンダー管理部７はカレンダー機能を記憶するメモリである。
制御部４にはクロック回路１５が接続されている。クロック回路１５は制御部４が動作するためのクロックを供給する回路であり、例えば水晶発振回路と分周器とで構成されている。
制御部４には時計機能部１４が接続され、時計機能部１４はクロック回路１４のクロックを使用して現在の時間情報を管理する。
スケジュール管理部８はスケジュール入力が起動され、年月日、開始時、終了時、用件の状態（重要性、緊急性、使用量）の各データを１組として管理する部分である。
【００４４】
＜動作の説明＞
以下、本発明に係る携帯型移動通信端末の動作について図２、図３を参照して説明する。
図２は、図１に示した携帯端末に用いられるマナー制御部４ａによるマナーモード起動の制御例を説明するフローチャートの一例である。
図３は、図１に示した携帯端末に用いられるマナー制御部４ａによるマナーモード解除の制御例を説明するフローチャートの一例である。
【００４５】
マナーモード起動時間を図２に示す手順で設定する。
まず、マナーモード制御部４ａ（図１参照）は、ステップＳ２０にて、マナーモード起動設定時間であるか否かの判定を行なう。
ステップＳ２０における判定結果が「YES」の場合、マナーモード制御部４ａは、ステップＳ２１では、現在マナーモードが設定されているか否かの判定を行なう。
ステップＳ２４は、ステップＳ２１における判定結果が「YES」の場合で、マナーモード起動中であるため、マナーモード制御部４ａは現状のマナーモード状態を維持し処理を終了する（ステップＳ２３）。尚、ステップＳ２０における判定結果が「NO」の場合には待機状態となる。
ステップＳ２２は、ステップＳ２１における判定結果が「NO」の場合で、現在マナーモードではないため、マナーモード制御部４ａはマナーモードを起動し、処理を終了する（ステップＳ２３）。
【００４６】
次にマナーモード解除の場合について図３に示す手順で説明する。
マナーモード起動時間設定と同様の手順で解除時間を設定する。
まず、マナーモード制御部４ａは、ステップＳ３０にて、マナーモード解除設定時間であるか否かの判定を行なう。
ステップＳ３０における判定結果が「YES」の場合、マナーモード制御部４ａは、ステップＳ３１では、現在マナーモードが起動中であるか否かの判定を行なう。
ステップＳ３４は、ステップＳ３１における判定結果が「ＮＯ」の場合で、マナーモード解除中であるため、マナーモード制御部４ａは、現状のマナーモード解除状態を維持し処理を終了する。
ステップＳ３２は、ステップＳ３１における判定結果が「ＹＥＳ」の場合で、現在マナーモード起動中であるため、マナーモードを解除し（ステップＳ３２）処理を終了する（ステップＳ３３）。
【００４７】
このように、起動処理と解除処理とを別々に行なうことで、日を跨いだ設定の判定を無くすことができる。具体的には、区間設定の場合、起動時間の後に解除時間が当日であるか当日以外であるかの判定やカレンダー機能との連携などを考慮した処理が必要となる。
本発明では、スケジュール管理部８から曜日の情報と時計機能部１４から時間の情報とを取得し、起動設定された時間に起動、解除設定された時間に解除を行なうだけなので、複雑な処理は不要となる。
【００４８】
＜効果の説明＞
従来スケジュール機能を有する携帯型移動通信端末のマナーモード設定方法は、スケジュール機能を用いることにより、区間設定（例えば、７：００から８：００までの時間）により設定を行なっているが、開始（起動）時間や終了（解除）時間が未確定の場合も少なくない。本発明ではマナーモードの設定時間の起動時間と解除時間とを別々に設定することにより、ユーザの利用シーンを広げることができる。また、設定時間の複数設定を可能とすることで、従来のスケジュール的な仕様も可能となる。さらに、手動でのマナーモード設定と組み合わせることも可能であり、利便性を向上したマナーモード設定方法を提供することができる。
【実施例２】
【００４９】
次に本発明に係る携帯端末におけるマナーモードの一実施例について図４（ａ）〜（ｆ）、図５を用いて説明する。
図４（ａ）〜（ｆ）は、図１に示した携帯端末の表示画面の一例である。図５は、図１に示した携帯端末の表示画面の他の一例である。
図１に示した携帯端末のマナーモードの機能を選択すると、マナーモード起動時間と解除時間とをそれぞれ設定可能とするメニューを表示する（図４（ａ））。
図１に示した携帯端末のマナーモード起動時間設定を図示しないユーザが選択すると、マナーモード制御部４ａは起動時間設定１あるいは、起動時間設定２を選択する（図４（ｂ））。
マナーモードの「起動時間」及び「繰り返し」の入力を行なう（図４（ｃ））。
繰り返しの設定は、「設定なし」、「毎日」、及び「曜日指定」から選択となる（図４（ｄ））。
図示しないユーザが「曜日指定」を選択した場合、チェックボックスを用いた選択方式により、曜日の選択を行なう（図４（ｅ））。
最後に設定内容を表示し設定が完了する。マナーモード解除を選択した場合も同様の遷移で時間設定を行なう（図４（ｆ））。
【００５０】
図４（ｂ）に示した画面では編集・設定ON/OFFなどを行なうための機能メニューを用意している（図５）。このように、起動時間と解除時間とを別々に設定することにより手動でマナーモード設定する操作を自動で行なうことと同等となり、設定した時間にマナーモードが起動中であるか否かの判定をするだけで実現が可能となる。
【図面の簡単な説明】
【００５１】
【図１】本発明に係る携帯端末の一実施例の概要構成図である。
【図２】図１に示した携帯端末に用いられるマナー制御部４ａによるマナーモード起動の制御例を説明するフローチャートの一例である。
【図３】図１に示した携帯端末に用いられるマナー制御部４ａによるマナーモード解除の制御例を説明するフローチャートの一例である。
【図４】（ａ）〜（ｆ）は、図１に示した携帯端末の表示画面の一例である。図５は図１に示した携帯端末の表示画面の他の一例である。
【図５】図１に示した携帯端末の表示画面の他の一例である。
【符号の説明】
【００５２】
１    アンテナ
２    無線部
３    ベースバンド部
４    制御部
４ａ    マナーモード制御部
５    電話帳部
６    操作部
７    カレンダー管理部
８    スケジュール管理部
９    音量制御部
１０    サウンダ
１１    バイブレーション部
１２    レシーバ
１３    マイクロフォン
１４    時計機能部
１５    クロック回路
１６    表示部
【図１】
2009284031.tif 000003
【図２】
2009284031.tif 000004
【図３】
2009284031.tif 000005
【図４】
2009284031.tif 000006
【図５】
2009284031.tif 000007